(57)【要約】【課題】  ユーザに正しい乗降場や車両等を知らせ、交通機関の遅延などがある場合でも正確且つ判りやすい案内を実現可能とする。【解決手段】  列車・車両ＲＦタグ１２は、各車両に搭載され、列車固有番号及び車両固有番号の情報を送信する。乗降場ＲＦタグ１３は、各乗降場に設けられ、駅・駅ホーム固有番号及び乗降場固有番号の情報を送信する。経路検索サーバ１０は、経路検索情報と共に、ユーザが乗車すべき列車の列車固有番号，車両固有番号と乗降すべき駅・駅ホーム固有番号，乗降場固有番号を提供する。携帯電話端末１１は、ナビゲーションの際に、列車・車両ＲＦタグ１２と経路検索サーバ１０から得た列車固有番号及び車両固有番号を基に列車と車両が正しいか判定し、乗降場ＲＦタグ１３と経路検索サーバ１０から得た駅・駅ホーム固有番号及び乗降場固有番号を基に乗降場が正しいか判定してナビゲーションに反映させる。【選択図】  図１
2008238894.tif 000002
【特許請求の範囲】
【請求項１】
交通機関にて使用される各運搬装置に搭載され、少なくとも当該運搬装置を特定する装置特定情報を近距離無線通信により送信する装置特定情報送信部と、
上記交通機関にて使用される運搬装置が移動を停止する位置に設けられ、当該運搬装置の移動停止位置を特定する位置特定情報を近距離無線通信により送信する位置特定情報送信部と、
少なくとも交通機関を利用する移動経路を検索し、当該移動経路の情報と共に、その移動経路内で利用する運搬装置に対応した装置特定情報とその運搬装置の移動停止位置に対応した位置特定情報とを、携帯情報端末へ提供する経路検索部と、
上記経路検索部から提供された移動経路情報に基づくナビゲーションを行う際に、上記装置特定情報送信部から送信された装置特定情報を受信した時には、当該受信した装置特定情報と上記経路検索部から提供された装置特定情報との比較により、運搬装置の正否判定を行ってナビゲーションに反映させ、上記位置特定情報送信部から送信された位置特定情報を受信した時には、当該受信した位置特定情報と上記経路検索部から提供された位置特定情報との比較により、運搬装置の移動停止位置の正否判定を行ってナビゲーションに反映させる携帯情報端末とを有する、
ことを特徴とするナビゲーションシステム。
【請求項２】
上記運搬装置は複数の車両により構成され、
上記装置特定情報は、上記運搬装置を構成する各車両を個々に特定する車両特定情報を含み、
上記位置特定情報は、上記運搬装置を構成する各車両が停止する位置を個々に特定する車両停止位置特定情報を含むことを特徴とする請求項１記載のナビゲーションシステム。
【請求項３】
上記交通機関の各運搬装置の運行スケジュール情報と上記装置特定情報及び位置特定情報を管理する交通機関管理部を有し、
上記経路検索部は、上記交通機関管理部から取得した運行スケジュール情報と装置特定情報及び位置特定情報を用いて上記移動経路の検索を行うことを特徴とする請求項１記載のナビゲーションシステム。
【請求項４】
上記携帯情報端末は、運搬装置の移動停止位置の正否判定により、当該運搬装置の現在の移動停止位置が、上記経路検索部から提供された移動経路情報内の停止位置に含まれないことの正否判定結果を得た時には、上記経路検索部に対して上記移動経路の再検索を要求することを特徴とする請求項１記載のナビゲーションシステム。
【請求項５】
少なくとも交通機関を利用する移動経路を検索し、当該移動経路の情報と共に、その移動経路内で利用する運搬装置を特定する装置特定情報とその運搬装置の移動停止位置を特定する位置特定情報とを、経路検索部が携帯情報端末へ提供するステップと、
上記経路検索部から提供された移動経路情報に基づいて携帯情報端末がナビゲーションを行う際に、当該携帯情報端末が、上記運搬装置に搭載された装置特定情報送信部から近距離無線通信により送信された装置特定情報を受信した時には、当該受信した装置特定情報と上記経路検索部から提供された装置特定情報との比較により、その運搬装置の正否判定を行ってナビゲーションに反映させるステップと、
上記経路検索部から提供された移動経路情報に基づいて携帯情報端末がナビゲーションを行う際に、当該携帯情報端末が、上記運搬装置の移動停止位置に設けられた位置特定情報送信部から近距離無線通信により送信された位置特定情報を受信した時には、当該受信した位置特定情報と上記経路検索部から提供された位置特定情報との比較により、その運搬装置の移動停止位置の正否判定を行ってナビゲーションに反映させるステップとを有する、
ことを特徴とするナビゲーション方法。
【請求項６】
少なくとも交通機関を利用する移動経路の情報と共に、その移動経路内で利用する運搬装置を特定する装置特定情報とその運搬装置の移動停止位置を特定する位置特定情報とを、経路検索部から取得する経路検索情報取得部と、
近距離無線通信による送信信号を受信する近距離無線通信部と、
上記経路検索部から提供された移動経路情報に基づくナビゲーションを行う際に、交通機関にて利用する運搬装置に搭載された装置特定情報送信部から近距離無線通信により送信された、当該運搬装置を特定する装置特定情報を上記近距離無線通信部が受信した時には、その受信した装置特定情報と上記経路検索部から取得した装置特定情報との比較により、当該運搬装置の正否判定を行ってナビゲーションに反映させ、運搬装置が移動を停止する位置に設けられた位置特定情報送信部から近距離無線通信により送信された、当該運搬装置の移動停止位置を特定する位置特定情報を上記近距離無線通信部が受信した時には、その受信した位置特定情報と上記経路検索部から取得した位置特定情報との比較により、当該運搬装置の移動停止位置の正否判定を行ってナビゲーションに反映させるナビゲーション実行部とを有する、
ことを特徴とする携帯情報端末。
【発明の詳細な説明】
【技術分野】
【０００１】
本発明は、出発地から目的地までの間に例えば電車やバス等の交通機関を利用する場合の経路検索（ルート検索）を行う際に好適なナビゲーションシステム及び方法、携帯情報端末に関する。
【背景技術】
【０００２】
例えば、特開平１０−３０７９９４号の公開特許公報（特許文献１）には、利用者の指定条件に適合する経路を選択すると共に、利用者は移動体基地局からの送信信号による位置検出手段を携行し、利用者と乗り物の位置及び時刻を比較することにより、所定の公共交通機関の乗り物に乗っていることを特定可能とした技術が開示されている。
【０００３】
また、特開２０００−３３５４１８号の公開特許公報（特許文献２）には、鉄道の線路に沿って各駅の構内に設けた駅名タグと、その線路上を走行する列車に搭載した車上装置と、各駅に設けた駅装置と、列車内の乗客等が携帯する情報端末とからなり、それぞれの情報端末によって乗客が車上装置又は駅装置に随時アクセスし、その列車の現在位置に関する案内を受けられるようにし、これら現在位置等を配信メッセージに編成して表示プログラムと共に無線等により乗客の各情報端末に送信するような技術が開示されている。
【０００４】
【特許文献１】特開平１０−３０７９９４号公報（図１）
【特許文献２】特開２０００−３３５４１８号公報（図１）
【発明の開示】
【発明が解決しようとする課題】
【０００５】
ところで、従来より携帯電話サービスには様々なものがあるが、その一つとして、例えば、出発地から目的地までの経路検索と、携帯電話端末に内蔵されたＧＰＳ（Global Positioning System）等の測位データに基づく移動ルートのトレースとにより、ユーザの道案内等を行うようなナビゲーションサービスがある。
【０００６】
しかし、従来のナビゲーションシステムでは、例えば、経路検索で得られた移動ルートの途中に交通機関を利用するルートがあるような場合、その交通機関の乗降場（駅ホームなど）と乗車すべき列車名や発車時刻等までの案内はなされるが、交通機関の利用に不慣れなユーザである場合や交通機関に遅延などがあった場合、ユーザは実際にどの電車やバス等に乗車すればよいか分かり難く、この場合、ユーザ自身が交通機関関係者などに問い合わせなどして、何れの電車やバス等に乗車すればよいのかを確認しなければならなくなる。
【０００７】
本発明は、このような実情に鑑みて提案されたものであり、経路検索（ルート検索）による移動ルートの中に交通機関を利用するようなルートが存在する場合に、ユーザに対して正しい乗降場や車両等を知らせることができ、また、交通機関の遅延などがある場合であっても、より正確且つユーザが判りやすい案内を実現することができるナビゲーションシステム及び方法、携帯情報端末を提供することを目的とする。
【課題を解決するための手段】
【０００８】
本発明のナビゲーションシステムは、交通機関にて使用される各運搬装置に搭載され、少なくとも当該運搬装置を特定する装置特定情報を近距離無線通信により送信する装置特定情報送信部と、運搬装置が移動を停止する位置に設けられ、当該運搬装置の移動停止位置を特定する位置特定情報を近距離無線通信により送信する位置特定情報送信部と、少なくとも交通機関を利用する移動経路を検索し、当該移動経路の情報と共に、その移動経路内での運搬装置に対応した装置特定情報とその運搬装置の移動停止位置に対応した位置特定情報とを、携帯情報端末へ提供する経路検索部と、移動経路情報に基づくナビゲーションを行う際に、装置特定情報送信部から装置特定情報を受信した時には、その受信装置特定情報と経路検索部からの装置特定情報との比較により運搬装置の正否判定を行ってナビゲーションに反映させ、位置特定情報送信部からの位置特定情報を受信した時には、その受信位置特定情報と経路検索部からの位置特定情報との比較により、運搬装置の移動停止位置の正否判定を行ってナビゲーションに反映させる携帯情報端末とを有することにより、上述した課題を解決する。
【０００９】
また、本発明のナビゲーション方法は、少なくとも交通機関を利用する移動経路を検索し、当該移動経路の情報と共に、その移動経路内の運搬装置を特定する装置特定情報とその運搬装置の移動停止位置を特定する位置特定情報とを経路検索部が携帯情報端末へ提供するステップと、経路検索部からの移動経路情報に基づいて携帯情報端末がナビゲーションを行う際に、運搬装置に搭載された装置特定情報送信部から近距離無線通信により送信された装置特定情報を受信した時には、その受信装置特定情報と経路検索部からの装置特定情報との比較により、その運搬装置の正否判定を行ってナビゲーションに反映させるステップと、運搬装置の移動停止位置に設けられた位置特定情報送信部から近距離無線通信により送信された位置特定情報を受信した時には、その受信位置特定情報と経路検索部からの位置特定情報との比較により、その運搬装置の移動停止位置の正否判定を行ってナビゲーションに反映させるステップとを有することにより、上述した課題を解決する。
【００１０】
また、本発明の携帯情報端末は、少なくとも交通機関を利用する移動経路の情報と共に、その移動経路内の運搬装置を特定する装置特定情報とその運搬装置の移動停止位置を特定する位置特定情報とを経路検索部から取得する経路検索情報取得部と、近距離無線通信による送信信号を受信する近距離無線通信部と、経路検索部からの移動経路情報に基づくナビゲーションを行う際に、交通機関の運搬装置に搭載された装置特定情報送信部から近距離無線通信により送信された、当該運搬装置を特定する装置特定情報を受信した時には、その受信装置特定情報と経路検索部からの装置特定情報との比較により、当該運搬装置の正否判定を行ってナビゲーションに反映させ、運搬装置が移動を停止する位置に設けられた位置特定情報送信部から近距離無線通信により送信された、当該運搬装置の移動停止位置を特定する位置特定情報を受信した時には、その受信位置特定情報と経路検索部から取得した位置特定情報との比較により、当該運搬装置の移動停止位置の正否判定を行ってナビゲーションに反映させるナビゲーション実行部とを有することにより、上述した課題を解決する。
【００１１】
すなわち、本発明によれば、経路検索に基づくナビゲーションを行う際には、ユーザが乗車すべき運搬装置（例えば列車等）を特定する装置特定情報（例えば列車や車両の固有番号）と、実際にユーザが乗車しようとする運搬装置に設けられている装置特定情報送信部（例えばＲＦタグ）から近距離無線送信された装置特定情報（列車や車両の固有番号）とを比較して、その運搬装置が正しいか否か判断し、また、ユーザが乗降すべき位置（乗降位置）を特定する位置特定情報（例えば乗降場固有番号）と、実際にユーザが乗降しようとする位置に設けられている位置特定情報送信部（例えばＲＦタグ）から近距離無線送信された位置特定情報（乗降場固有番号）とを比較して、その乗降位置が正しいか否か判断してナビゲーションに反映させている。
【発明の効果】
【００１２】
本発明においては、経路検索に基づくナビゲーションを行う際には、ユーザが乗車すべき車両等を特定する情報と、実際にユーザが乗車しようとする車両等に設けられている情報送信部から送信された装置特定情報とを比較して、その運搬装置が正しいか否か判断し、また、ユーザが乗降すべき乗降場位置等を特定する位置特定情報と、実際にユーザが乗降しようとする位置に設けられている情報送信部から送信された位置特定情報とを比較して、その乗降位置が正しいか否か判断してナビゲーションに反映させているため、例えば、経路検索（ルート検索）による移動ルートの中に交通機関を利用するようなルートが存在するような場合に、ユーザに対して正しい乗降場や車両等を知らせることができ、また、交通機関の遅延などがある場合であっても、より正確且つユーザが判りやすい案内を実現可能となる。
【発明を実施するための最良の形態】
【００１３】
以下、図面を参照しながら、本発明の実施形態について説明する。
【００１４】
なお、以下の説明では、本発明のナビゲーションシステム及び方法が適用される一実施形態として、電車等の交通機関を利用した移動と徒歩や自動車、自転車等による道路等を利用した移動の際の経路検索（ルート検索）を行うナビゲーションシステムを挙げており、本発明の携帯情報端末として、本発明実施形態のナビゲーションシステムに対応した携帯電話端末を挙げている。また、以下の実施形態では、交通機関の一例として鉄道交通機関を挙げ、当該交通機関で用いられる運搬装置の一例として列車を挙げている。勿論、ここで説明する内容はあくまで一例であり、本発明はこれらの例に限定されないことは言うまでもない。
【００１５】
〔システムの概略構成〕
図１には、本実施形態のナビゲーションシステムの概略構成を示す。
【００１６】
本発明実施形態において、列車（電車）等を運行させている交通機関には、少なくとも、交通機関管理サーバ１４と、列車・車両ＲＦタグ１２と、乗降場ＲＦタグ１３と、交通機関ネットワーク３とを備えた交通機関システムが構築されている。なお、以下の説明では、近距離無線通信の一例としてＲＦタグを挙げているが、本発明はこれに限定されず、より通信距離の長い、いわゆるブルートゥース方式（Bluetooth：登録商標）やＵＷＢ（Ultra Wide Band）方式、無線ＬＡＮ（Local Area Network）、赤外線方式などによる近距離無線通信を用いることも可能である。
【００１７】
列車・車両ＲＦタグ１２は、当該交通機関の各列車及びその列車の各車両毎に取り付けられており、各列車をそれぞれ特定するための列車固有番号の情報（本発明にかかる装置特定情報）とその列車の各車両をそれぞれ特定するための車両固有番号の情報（本発明にかかる車両特定情報）が書き込まれている。そして、当該列車・車両ＲＦタグ１２は、近距離無線通信により、それら列車固有番号と車両固有番号の情報を、常時若しくは一定時間毎に送信している。
【００１８】
乗降場ＲＦタグ１３は、当該交通機関の各駅及びそれら各駅内に設けられた各ホーム（駅ホーム）とそれら各駅ホームに設けられた各乗降場毎（つまり列車の各車両にそれぞれ対応した乗降場毎）に取り付けられており、それら各駅及び各駅ホームをそれぞれ特定する駅・ホーム固有番号の情報（本発明にかかる停止位置特定情報）と、各駅ホームの各乗降場固有番号の情報（本発明にかかる車両停止位置特定情報）とが書き込まれている。そして、当該乗降場ＲＦタグ１３は、近距離無線通信により、それら駅・ホーム固有番号と各乗降場固有番号の情報を、常時若しくは一定時間毎に送信している。
【００１９】
上記交通機関管理サーバ１４は、その交通機関内の全ての路線における全ての列車等の運行管理及び運行制御を行うと共に、当該交通機関内の全ての駅と全ての駅ホーム及び各乗降場に設けられた乗降場ＲＦタグ１３に書き込まれる駅・ホーム固有番号及び各乗降場固有番号の管理と、当該交通機関内の全ての列車及び各車両に設けられた列車・車両ＲＦタグ１２に書き込まれる列車固有番号及び車両固有番号の管理をも行う。
【００２０】
すなわち一例として、当該交通機関管理サーバ１４は、全ての路線に関する情報の管理、全ての列車の運行スケジュールの作成や変更等の管理、各列車等が運行スケジュールに従って正常に運行しているかどうかの管理、例えば車両故障や信号機故障，事故，気象条件等により各列車等の運行スケジュールに乱れが生じた時の時間遅延等と正常運行スケジュールとの間の時間差分の算出、当該運行スケジュールの乱れを直して正常運行スケジュールに戻すための運行調整等を行うと共に、これら運行スケジュールにかかる各列車及び車両に割り当てられている列車固有番号及び車両固有番号の管理、当該運行スケジュールにかかる各駅及び各駅ホームと各乗降場に割り当てられている駅・ホーム固有番号と各乗降場固有番号の管理などを行う。
【００２１】
交通機関ネットワーク３は、その交通機関内の様々な装置を接続するローカルエリアネットワークであり、当該ネットワーク内の装置の一つとして上記交通機関管理サーバ１４が接続されている。また、交通機関ネットワーク３は、インターネット１等の外部のネットワークにも接続されている。したがって、交通機関管理サーバ１４は、交通機関ネットワーク３を介して、上記インターネット１へも接続可能となされている。なお、交通機関管理サーバ１４は、交通機関ネットワーク３を介さずに直接、インターネット１へ接続されていても良い。
【００２２】
携帯電話端末１１は、ユーザが所有する携帯電話機であり、詳細な構成については後述するが、通話機能やデータ通信機能，画像及びテキスト表示機能，音声出力機能，バイブレータ機能等のような一般的な携帯電話端末が有する機能の他に、例えばＧＰＳ等の現在地測位機能とＲＦタグ等との間の近距離無線通信機能をも備えている。
【００２３】
携帯電話ネットワーク２は、携帯電話機が通話やデータ通信等を行うためのネットワークである。また、携帯電話ネットワーク２は、インターネット１等の外部のネットワークにも接続されている。したがって、ユーザの携帯電話端末１１は、当該携帯電話ネットワーク２を通じてインターネット１へも接続可能となされている。
【００２４】
経路検索サーバ１０は、ユーザが電車等の交通機関を利用して移動する場合や徒歩，自動車、自転車等にて道路等を利用して移動する際の経路検索（ルート検索）サービスを提供するために、例えばインターネット１上に用意された経路検索サイトのサーバである。当該経路検索サーバ１０による経路検索サービスでは、徒歩や自動車、自転車等による道路等を利用したルートや電車等の交通機関を利用したルートのみならず、それらが混在したルートの検索も可能となされており、また、交通機関を利用する移動ルートの検索時には、一つの交通機関を利用する路線検索だけでなく、複数の交通機関を跨いだ路線検索も可能となされている。
【００２５】
ここで、当該経路検索サーバ１０には、全ての交通機関の全路線情報とそれら各交通機関における全列車等の運行スケジュール情報が予め登録されている。なお、各交通機関において新たな路線が生成された場合や運行スケジュールの新規作成、運行スケジュールの更新等があった場合には、それらの情報が各交通機関の交通機関管理サーバ１４から当該経路検索サーバ１０に供給されて、上記登録されている運行スケジュールの更新等が行われる。
【００２６】
また、経路検索サーバ１０には、各交通機関の全駅と各駅ホームの乗降場に設けられた前記乗降場ＲＦタグ１３から近距離無線送信される前記駅・ホーム固有番号及び各乗降場固有番号の情報と、各交通機関の全ての列車の各車両に設けられた前記列車・車両ＲＦタグ１２から近距離無線送信される前記列車固有番号及び車両固有番号の情報も、予め登録されている。なお、各交通機関にて新たな駅，駅ホーム等が建設等された場合や、駅，駅ホーム等の改装，移設があった場合には、それら各交通機関の交通機関管理サーバ１４からは、当該新規建設や改装，移設等による新設，更新等された乗降場ＲＦタグ１３の駅・ホーム固有番号，各乗降場固有番号が、当該経路検索サーバ１０に供給される。
【００２７】
また、経路検索サーバ１０には、各交通機関の交通機関管理サーバ１４から、例えば、運行スケジュールが正常に運行されているかどうかの情報や、運行スケジュールに乱れ等が生じた時の時間遅延等と正常運行スケジュールとの間の時間差分の情報、運行スケジュールの乱れ等により時間遅延等が発生した各列車の列車固有番号の情報、運行スケジュールの乱れ等により各列車が停車等する駅や駅ホーム，乗降場が変更された場合のそれら各列車の列車固有番号及び駅・ホーム固有番号と各乗降場固有番号の情報、運行スケジュールの乱れ等により各列車の停車時における各車両の停車位置（乗降位置）が変更された場合の各列車の車両固有番号と各乗降場固有番号の情報、例えば列車の車両編成が変更された場合のその列車の列車固有番号及び車両固有番号の情報なども供給される。その他にも、何らかの理由により運行スケジュールや列車，車両等に変更が有った場合には、その都度、各交通機関の交通機関管理サーバ１４から当該経路検索サービス１０に当該変更にかかる情報が供給される。
【００２８】
そして、経路検索サーバ１０は、例えばインターネット１を経由して、ユーザの携帯電話端末１１から経路検索のための情報が入力された場合、すなわち例えば、経路検索を要求する旨の情報と出発地及び目的地の情報が入力された場合には、その出発地から目的地までの経路検索を実行する。また、経路検索サーバ１０は、その出発地から目的地の間で交通機関の路線が利用可能である場合や、直接ユーザから出発駅と到着駅及び出発時刻若しくは到着時刻等の情報が入力された場合には、上述した全路線情報及び運行スケジュール情報等を用いた路線検索を実行すると共に、乗降すべき駅，駅ホーム及び乗降場と乗降すべき列車及び車両の検索、更に、それら乗降すべき駅，駅ホームの駅・ホーム固有番号及び各乗降場固有番号の検索、乗降すべき列車固有番号及び車両固有番号の検索を実行し、それら検索された路線情報と、乗降すべき駅，駅ホーム及び乗降場，乗降すべき列車及び車両の運行スケジュール情報と、それら乗降すべき駅，駅ホームの駅・ホーム固有番号及び各乗降場固有番号，列車固有番号及び車両固有番号の情報を、インターネット１等を介して上記ユーザの携帯電話端末１１へ送信する。
【００２９】
これにより、ユーザの携帯電話端末１１は、出発地から目的地までの経路情報を得ることができ、また、その経路内で交通機関の路線を利用する場合には、その利用路線と乗降すべき駅及び駅ホーム、その駅ホームの乗降場、乗降すべき列車及び車両の運行スケジュール情報と、それら乗降すべき駅，駅ホームの駅・ホーム固有番号及び各乗降場固有番号，列車固有番号及び車両固有番号の情報を得ることができることになる。そして、携帯電話端末１１は、それら情報を内部メモリ等に蓄積する。
【００３０】
そして、携帯電話端末１１は、ユーザからナビゲーションの開始要求があった場合には、上記経路情報，乗降駅及び駅ホームと乗降場と列車及び車両の運行スケジュール情報、駅・ホーム固有番号及び各乗降場固有番号と列車固有番号及び車両固有番号の情報を用いることにより、出発地から目的地までのナビゲーション処理を実行する。
【００３１】
特に本実施形態において、ユーザが駅及びその駅ホームに居る場合、携帯電話端末１１は、その駅ホームの乗降場に設けられている乗降場ＲＦタグ１３から近距離無線通信された駅・ホーム固有番号及び各乗降場固有番号と、上記内部メモリ等に蓄積している駅・ホーム固有番号及び各乗降場固有番号との比較参照により、現在ユーザが居る駅及び駅ホーム，乗降場が正しいかどうかの判断や、何れの駅ホーム及び乗降場へ行くべきかの案内等を行う。また例えば、ユーザが列車の乗降する際や乗車中である場合、携帯電話端末１１は、その列車の各車両に設けられている列車・車両タグ１２から近距離無線通信された列車固有番号及び車両固有番号と、上記内部メモリ等に蓄積している列車固有番号及び車両固有番号との比較参照により、現在ユーザが乗降すべき列車及び車両が正しいかどうかの判断や、何れの列車及び車両に乗降すべきかの案内等を行う。
【００３２】
なお、ここでは、携帯電話端末１１は、経路検索サーバ１０に予めアクセスして経路の情報や運行スケジュール、乗降場固有番号や車両固有番号等を取得してメモリに保持しておく例を挙げたが、例えば、乗降場ＲＦタグ１３や列車・車両ＲＦタグ１２から情報を取得する都度、或いは、一定時間毎に、経路検索サーバ１０にアクセスして最新の経路情報や運行スケジュール、乗降場固有番号や車両固有番号等を取得することで、急な運行スケジュールの変更や乱れなどに即応できるようにしても良い。
【００３３】
〔携帯電話端末の概略構成〕
図２には、本発明実施形態の携帯電話端末１１の概略的な内部構成例を示す。
【００３４】
図２に示す携帯電話端末において、通信アンテナ４２は、例えば内蔵アンテナであり通話やパケット通信のための信号電波の送受信を行う。通信回路４１は、送受信信号の周波数変換、変調と復調等を行う。本実施形態の携帯電話端末は、これら通信回路４１及び通信アンテナ４２により、音声通話やパケット通信など行う。
【００３５】
音声処理部５２は、上記通信アンテナ４２及び通信回路４１から通話音声の受信データが供給された時には、当該通話音声の受信データを復号化し、その復号化後の通話音声データをデータラインを介してスピーカ５０へ送る。これにより、スピーカ５０からは通話音声が出力されることになる。また、マイクロホン５１は、送話用及び外部音声集音用のマイクロホンである。このマイクロホン５１を介して入力された音声信号は、増幅器により所定のレベルに増幅された後、アナログ／ディジタル変換器によりディジタル音声データに変換され、データラインを介して音声処理部５２へ送られて符号化された後、データラインを介して通信回路４１へ送られて変調、周波数変換等の各種処理を受け、通信アンテナ４２から送信される。
【００３６】
表示部４３は、例えば液晶等のディスプレイとそのディスプレイの表示駆動回路とを含み、上記ディスプレイ上には電子メールの表示や写真画像等が表示される。
【００３７】
画像処理部５３は、待ち受け画面や、電子メール、スケジュール、カレンダー、電話帳、本実施形態にかかる経路検索のナビゲーション画面などの画像データを生成し、それら画像データをデータラインを介して表示部４３のディスプレイへ送って表示させる処理を行う。
【００３８】
操作部４４は、本実施形態の携帯電話端末の図示しない筐体上に設けられているテンキーや発話，終話キー／電源キー等の各キーや十字キー，シャッターボタン、ジョグダイヤル，タッチパネル等の各操作子と、それら操作子が操作された時の操作信号を発生する操作信号発生器とからなる。
【００３９】
ＧＰＳ部５４は、ＧＰＳアンテナとＧＰＳ制御部からなる。ＧＰＳアンテナは、ＧＰＳ衛星の発信する電波を受信する。ＧＰＳ制御部は、ＧＰＳアンテナの受信電波に基づいて、自端末の現在位置の緯度及び経度を求める。このＧＰＳ部５４により得られたＧＰＳデータ（緯度，経度を表す情報）は制御部４０へ送られる。これにより、制御部４０は、自端末の現在位置を知ることができると共に、例えば一定時間毎に得られたＧＰＳデータの差分に基づいて、自端末の移動の有無、移動時の移動距離や移動速度、移動方向、移動の経路などを知ることができる。
【００４０】
近距離無線通信部５５は、少なくともＲＦタグから無線送信される信号を受信し、その受信データを制御部４０へ送る。なお、近距離無線通信部５５は、例えばブルートゥース方式やＵＷＢ方式、無線ＬＡＮ、赤外線通信などによる近距離無線通信機能も備えている。
【００４１】
メモリ部４５は、ＲＯＭ（Read Only Memory）とＲＡＭ（Random Access Memory）を含む。ＲＯＭは、ＮＡＮＤ型フラッシュメモリ（NAND-type flash memory）のような書き換え可能なＲＯＭを含み、例えば、ＯＳ（Operating System）のプログラムや制御部４０が各部を制御するための制御プログラム、本発明に係るナビゲーション機能を実現するためのナビゲーションプログラム４９、経路検索サーバ１０からナビゲーションのために供給された地図データ４６，路線データ４７，経路データ４８の他、一般的な携帯電話端末に搭載されている各アプリケーションプログラム、各種の初期設定値、フォントデータ、各辞書データ、識別情報などを記憶する。ＲＡＭは、制御部４０が各種のデータ処理を行う際の作業領域として、随時データを格納する。
【００４２】
上記制御部４０は、通信回路４１における通信の制御、音声処理部５２や画像処理部５３等の各制御の他、本実施形態の携帯電話端末の各構成要素の制御や各種演算処理を行う。特に本実施形態の場合、制御部４０は、メモリ部４５のナビゲーションプログラム４９における後述するようなナビゲーション処理の実行と制御等を行う。
【００４３】
その他、図２には図示を省略しているが、本発明の携帯電話端末は、年月日時等の情報を発生したり時間を計測する時計部や、キー照明や着信ライト用などのＬＥＤ（発光ダイオード）とその駆動部、バイブレータとその駆動部、各部へ電力を供給するバッテリとその電力をコントロールするパワーマネージメントＩＣ部、いわゆる電子マネーのための情報記憶と信号の送受信を行う電子財布部、カメラ機能部など、一般的な携帯電話端末に設けられる各構成要素についても備えている。
【００４４】
〔ナビゲーション処理実行時の携帯電話端末のフロー〕
図３には、本実施形態の携帯電話端末１１において、メモリ部４５のナビゲーションプログラム４９により制御部４０が実行するナビゲーション処理の概略的なフローチャートを示す。なお、図３のフローチャートは、出発地から目的地までの経路の間で交通機関を利用する場合のナビゲーション処理例を示しており、特に、交通機関を利用する部分についての基本的な処理の流れを示している。また、図３のフローチャートの例では、経路検索サーバ１０での経路検索により、既に出発地から目的地までの経路情報及び地図情報等を得ており、また、その経路内で利用する交通機関の路線と乗降駅及び駅ホームの情報、駅ホームの乗降場の情報、乗降列車及び車両の運行スケジュール情報、駅・ホーム固有番号及び各乗降場固有番号，列車固有番号及び車両固有番号の情報を得ていて、それらの情報がメモリ部４５に蓄積されている。
【００４５】
図３において、携帯電話端末１１の制御部４０は、出発地から交通機関の乗車駅までの間は、ステップＳ１の処理として、経路検索サーバ１０での経路検索結果にて得られた経路情報及び地図情報とＧＰＳ部５４からのＧＰＳ情報とを用いたナビゲーションを行う。
【００４６】
上記ステップＳ１でのナビゲーションの結果、ユーザが乗車駅に到着し、当該ユーザが乗車駅構内へ入場して駅ホーム近傍に移動したことを例えばＧＰＳ部５４のＧＰＳ情報に基づいて確認すると、制御部４０は、ステップＳ２の処理として、近距離無線通信部５５を通じて、当該駅構内の駅ホームの乗降場に設けられている乗降場ＲＦタグ１３から近距離無線通信された駅・ホーム固有番号及び各乗降場固有番号の情報を取得する。
【００４７】
次に、制御部４０は、経路検索サーバ１０での経路検索により既に取得してメモリ部４５に蓄積している駅・ホーム固有番号及び乗降場固有番号と、上記乗降場ＲＦタグ１３から取得した駅・ホーム固有番号及び乗降場固有番号とを比較することにより、現在ユーザが居る駅ホーム及び乗降場が正しい乗車場であるか否かの判定を行う。つまり、制御部４０は、メモリ部４５の駅・ホーム固有番号及び乗降場固有番号と上記乗降場ＲＦタグ１３からの駅・ホーム固有番号及び乗降場固有番号とが一致したか否か判定する。
【００４８】
そして、制御部４０は、それらの番号が一致している時（正しい乗車場である時）には、例えば表示部４３のディスプレイ表示やスピーカ５０からの音出力、バイブレータの振動などを通じて、その乗車場は正しい旨をユーザへ通知した後、ステップＳ４へ処理を進める。一方、それらの番号が一致していない場合、制御部４０は、例えば表示部４３のディスプレイ表示やスピーカ５０からの音出力、バイブレータの振動などを通じて、その乗車場は正しくない旨をユーザへ通知すると共に、正しい乗車場へユーザを導くためのナビゲーションを行い、ステップＳ２へ処理を戻す。
【００４９】
ステップＳ３にて正しい乗車場であると判定されてステップＳ４の処理に進むと、制御部４０は、各列車及び各車両毎に設けられている列車・車両ＲＦタグ１２から近距離無線通信される列車固有番号及び車両固有番号の情報を、上記近距離無線通信部５５を通じて取得することを試みる。なお、この例では、ステップＳ３からステップＳ４の処理に進んだ場合に、上記列車固有番号及び車両固有番号情報の取得を直ちに開始するとしたが、例えば、乗車予定の列車の運行スケジュールに概ね一致した時刻になってから上記列車固有番号及び車両固有番号情報の取得を開始するようにしてもよい。このように、乗車予定列車の運行スケジュールに概ね一致した時刻になるまで、上記近距離無線通信部５５を動作させないようにすれば、携帯電話端末１１のバッテリ消費を少なくすることが可能となる。その他にも、ユーザから、操作部４４を通じて、列車固有番号及び車両固有番号の情報取得指示がなされた時に、上記列車・車両ＲＦタグ１２からの列車固有番号及び車両固有番号の情報を上記近距離無線通信部５５を通じて取得する動作を開始するようにしても良い。
【００５０】
そして、ユーザが列車に乗車等することにより、列車・車両ＲＦタグ１２から近距離無線通信されている列車固有番号及び車両固有番号の情報を、上記近距離無線通信部５５を通じて取得できた時、制御部４０は、ステップＳ５の処理として、経路検索サーバ１０での経路検索により既に取得してメモリ部４５に蓄積している列車固有番号及び列車固有番号と、上記列車・車両ＲＦタグ１２から取得した列車固有番号及び車両固有番号とを比較することにより、ユーザが乗車した列車及びその車両が正しい列車及び車両であるか否かの判定を行う。つまり、制御部４０は、メモリ部４５の列車固有番号及び車両固有番号と上記列車・車両ＲＦタグ１２からの列車固有番号及び車両固有番号とが一致したか否か判定する。
【００５１】
制御部４０は、それらの番号が一致している時（正しい列車及び車両である時）には、表示部４３のディスプレイ表示やスピーカ５０からの音出力、バイブレータの振動などを通じて、その列車及び車両は正しい旨をユーザへ通史した後、ステップＳ６へ処理を進める。一方、それらの番号が一致していない場合、制御部４０は、例えば表示部４３のディスプレイ表示やスピーカ５０からの音出力、バイブレータの振動などを通じて、その列車若しくは車両が正しくない旨をユーザへ通知すると共に、正しい列車若しくは車両へユーザを導くためのナビゲーションを行い、ステップＳ４へ処理を戻す。なお、列車固有番号のみ一致し、車両固有番号が一致していない場合には、ユーザに対して、正しい車両ではないことの通知や、正しい車両が何両目（次の降車場で降りるべき位置に最も近い場所に到着する車両番号の情報）であるかの通知のみを行うようにし、当該ユーザを正しい車両へ導くためのナビゲーションについては行わないようにしても良い。
【００５２】
ステップＳ５にて正しい列車・車両であると判定されてステップＳ６の処理に進むと、制御部４０は、当該列車が駅に停車する度に、近距離無線通信部５５を通じて、乗降場ＲＦタグ１３から近距離無線通信される駅・ホーム固有番号及び各乗降場固有番号の情報を取得するための動作を行う。ここで、本実施形態において、列車が駅に停車したか否かは、例えばＧＰＳ部５４のＧＰＳ情報から判断することができる。すなわち、制御部４０は、ＧＰＳ部５４のＧＰＳ情報により自端末の移動が止まったことを検知した時に、当該列車が駅に停車したと判断し、近距離無線通信部５５を通じて上記駅・ホーム固有番号及び各乗降場固有番号の情報取得動作を開始する。なお、近距離無線通信部５５を通じた上記駅・ホーム固有番号及び各乗降場固有番号の情報取得動作は、当該列車の運行スケジュールを基に列車が駅に停車する時刻になった時に行うようにしても良い。但し、列車は必ずしも運行スケジュール通りに運行されるとは限らないため、運行スケジュールのみに基づいて情報取得動作を行うような場合には、運行スケジュールにより決められた駅停車時刻の前後一定時間のマージンをとって情報取得動作を行うことが望ましい。
【００５３】
次に、当該列車が駅に停車等することにより、駅ホームの乗降場の乗降場ＲＦタグ１３から近距離無線通信されている駅・ホーム固有番号及び乗降場固有番号を、上記近距離無線通信部５５を通じて取得できた時、制御部４０は、ステップＳ７の処理として、経路検索サーバ１０での経路検索により既に取得してメモリ部４５に蓄積している駅・ホーム固有番号及び乗降場固有番号と、上記乗降場ＲＦタグ１３から取得した駅・ホーム固有番号及び乗降場固有番号とを比較することにより、当該列車が現在停車している駅ホーム及び乗降場が正しい降車場であるか否かの判定を行う。すなわち、制御部４０は、メモリ部４５の駅・ホーム固有番号及び乗降場固有番号と上記乗降場ＲＦタグ１３からの駅・ホーム固有番号及び乗降場固有番号とが一致したか否か判定する。
【００５４】
そして、制御部４０は、それらの番号が一致している時（正しい降車場である時）にはステップＳ９へ処理を進める。一方、それらの番号が一致していない場合、制御部４０は、例えば表示部４３のディスプレイ表示やスピーカ５０からの音出力、バイブレータの振動などを通じて、未だ正しい降車場に到着していない旨をユーザへ通知し、ステップＳ８へ処理を進める。
【００５５】
ステップＳ８の処理に進んだ場合、制御部４０は、乗降場ＲＦタグ１３から得られている駅・ホーム固有番号及び乗降場固有番号と、当該路線内の各乗降場の駅・ホーム固有番号及び乗降場固有番号とを比較参照し、現在列車の停車している駅が、ユーザが降車すべき降車場の駅よりも当該路線上で手前であるか否かを判定する。そして、制御部４０は、ユーザが降車すべき降車場の駅よりも現在の停車駅が手前であると判定した場合には、ステップＳ６へ処理を戻す。
【００５６】
一方、ステップＳ８にて、ユーザが降車すべき降車場の駅よりも現在の停車駅が手前でないと判断した時、すなわち、現在の列車停車駅がユーザの降車すべき降車場駅よりも先の駅になってしまっていると判断した場合（目的降車場駅を既に過ぎてしまっている場合、経路検索で得られた停車駅以外の駅になってしまった場合も含む。）、制御部４０は、例えば表示部４３のディスプレイ表示やスピーカ５０からの音出力、バイブレータの振動などを通じて、目的降車場駅を既に過ぎてしまったことなどをユーザへ通知すると共に、目的降車場に戻るための路線再検索を行った後、ステップＳ２へ処理を戻す。これにより、この場合のステップＳ２以降では、再検索後の路線のついて上述同様の処理が行われることになる。
【００５７】
また、ステップＳ７で正しい降車場であると判定してステップＳ９の処理に進んだ場合、制御部４０は、経路検索により既に取得してメモリ部４５に蓄積している目的地最寄りの降車駅の駅・ホーム固有番号及び乗降場固有番号と、上記乗降場ＲＦタグ１３から取得した駅・ホーム固有番号及び乗降場固有番号とを比較することにより、その降車場駅が目的地の最寄り駅の降車場であるか否か判定する。
【００５８】
そして、制御部４０は、それらの番号が一致している時（目的地の最寄りの降車場駅である時）にはステップＳ１０へ処理を進める。一方、それらの番号が一致していない場合、制御部４０は、例えば表示部４３のディスプレイ表示やスピーカ５０からの音出力、バイブレータの振動などを通じて、当該駅は例えば乗り換え駅である旨をユーザへ通知して、ユーザに列車の乗り換え案内を行った後、ステップＳ２へ処理を戻す。これにより、この場合のステップＳ２以降では、乗り換え後の路線について上述同様の処理が行われることになる。
【００５９】
ステップＳ９にて目的地の最寄り降車場駅であると判定してステップＳ１０の処理に進んだ場合、制御部４０は、その後、当該降車場駅から目的までについて、経路検索サーバ１０での経路検索結果にて得られた経路情報及び地図情報とＧＰＳ部５４からのＧＰＳ情報とを用いたナビゲーションを行う。
【００６０】
〔列車乗車時の携帯電話端末と列車・車両ＲＦタグの処理シーケンス〕
図４には、列車へ乗車する際に携帯電話端末１１と列車・車両ＲＦタグ１２で行われる処理のシーケンス図を示す。なお、図４では、経路検索サーバ１０と携帯電話端末１１との間で予め行われる経路検索の際のシーケンスも示されている。
【００６１】
図４において、経路検索が行われる際、携帯電話端末１１からは、ステップＳ２０として、例えば現在地（出発地）と目的地、現在の時刻の情報等が経路検索サーバ１０へ送られ、経路検索サーバ１０からは、列車への乗車時に使用される情報として、経路情報や路線情報，地図情報と共に、ステップＳ２１のように、ユーザが乗車すべき列車固有番号及び車両固有番号を表す目的列車番号情報Ｌ１，車両番号情報Ｌ２等が携帯電話端末１１へ送り返されており、当該携帯電話端末１１はそれらの情報を保持している。なお、この経路検索と情報取得は、当該図４のシーケンスにおいて毎回行っても良い。
【００６２】
その後、ユーザが駅及びその駅ホームに到着し、さらに当該駅ホームに例えば到着している列車に乗車することで、当該列車に設けられている列車・車両ＲＦタグ１２と近距離無線通信が可能な距離内に入った時、携帯電話端末１１は、ステップＳ２２として、その列車・車両ＲＦタグ１２から近距離無線通信されている列車固有番号及び車両固有番号である列車番号情報Ｌ３，車両番号情報Ｌ４を受信する。
【００６３】
上記列車・車両ＲＦタグ１２から列車番号情報Ｌ３，車両番号情報Ｌ４を受信すると、携帯電話端末１１は、ステップＳ２３として、上記目的列車番号情報Ｌ１と列車番号情報Ｌ３とが等しいか否か判断する。そして、目的列車番号情報Ｌ１と列車番号情報Ｌ３とが一致した時、携帯電話端末１１は、ステップＳ２４として、その列車が正しい列車である旨をユーザに通知する。
【００６４】
また、携帯電話端末１１は、ステップＳ２５として、上記車両番号情報Ｌ２と車両番号情報Ｌ４を比較し、例えばそれら番号が一致していない時には、上記車両番号情報Ｌ２に対応した車両が、当該車両番号情報Ｌ４に対応した車両から前若しくは後方向の何両目であるかをユーザに通知する。
【００６５】
〔列車降車時の携帯電話端末と乗降場ＲＦタグの処理シーケンス〕
図５は、列車から降車する際に携帯電話端末１１と乗降場ＲＦタグ１３で行われる処理のシーケンス図を示す。なお、図５では、経路検索サーバ１０と携帯電話端末１１との間で予め行われる経路検索の際のシーケンスも示されている。
【００６６】
図５において、前述のステップＳ２０のように経路検索が行われて現在地（出発地）と目的地、現在の時刻の情報等が携帯電話端末１１から経路検索サーバ１０へ送られた場合、当該経路検索サーバ１０からは、降車時に使用される情報として、前述の経路情報や路線情報，地図情報と共に、ステップＳ３１のように、ユーザが降車すべき目的駅の駅・ホーム固有番号及び乗降場固有番号を表す目的降車場情報Ｌ５等が携帯電話端末１１へ送り返されており、当該携帯電話端末１１はそれら情報を保持している。なお、この経路検索と情報取得は、当該図５のシーケンスにおいて毎回行っても良い。
【００６７】
その後、ユーザが乗車している列車が駅及びその駅ホームに到着し、当該駅ホームの各乗降場に設けられている乗降場ＲＦタグ１３と近距離無線通信が可能な距離内に入った時、携帯電話端末１１は、ステップＳ３２として、その乗降場ＲＦタグ１３から近距離無線通信されている駅・ホーム固有番号及び乗降場固有番号を表す停車場情報Ｌ６を受信する。
【００６８】
上記乗降場ＲＦタグ１３から停車場情報Ｌ６を受信すると、携帯電話端末１１は、ステップＳ３３として、上記目的降車場情報Ｌ５と上記停車場情報Ｌ６とが等しいか否か判断する。そして、目的降車場情報Ｌ５と停車場情報Ｌ６とが一致した時、携帯電話端末１１は、ステップＳ３４として、その停車場が目的の降車場である旨をユーザに通知する。なお、目的降車場情報Ｌ５と停車場情報Ｌ６とが一致していない場合、携帯電話端末１１は、その旨をユーザに通知することになる。
【００６９】
〔目的降車場を通過した場合の携帯電話端末と乗降場ＲＦタグの処理シーケンス〕
図６は、目的降車場を通過してしまった際の携帯電話端末１１と乗降場ＲＦタグ１３で行われる処理のシーケンス図を示す。なお、図６では、経路検索サーバ１０と携帯電話端末１１との間で予め行われる経路検索の際のシーケンスも示されている。
【００７０】
図６において、前述の図５で説明したように経路検索が行われて現在地（出発地）と目的地、現在の時刻の情報等が携帯電話端末１１から経路検索サーバ１０へ送られた場合（ステップＳ２０）、当該経路検索サーバ１０からは、前述の経路情報や路線情報，地図情報と共に目的降車場情報Ｌ５が携帯電話端末１１へ送り返されており（ステップＳ３１）、当該携帯電話端末１１はそれら情報を保持している。なお、この経路検索と情報取得は、当該図６のシーケンスにおいて毎回行っても良い。
【００７１】
その後、ユーザが乗車している列車が駅及びその駅ホームに到着し、その駅ホームの乗降場に設けられている乗降場ＲＦタグ１３から近距離無線通信されている停車場情報Ｌ６を携帯電話端末１１が受信して、その停車場情報Ｌ６と目的降車場情報Ｌ５とが等しいか否か判断した際に、ステップＳ４３のように、その停車場情報Ｌ６にて表される駅が、目的降車場情報Ｌ５にて表される駅よりも、路線上で先の駅であることが判った場合、携帯電話端末１１は、ステップＳ４４として、現在地と目的地、現在の時刻の情報等を経路検索サーバ１０へ送る。
【００７２】
これにより、経路検索サーバ１０では、経路の再検索が行われ、当該経路検索サーバ１０からは、新たな経路情報や路線情報，地図情報等と共に、ステップＳ４５のように、ユーザが乗車し直すべき列車固有番号及び車両固有番号を表す目的列車番号情報Ｌ１’，車両番号情報Ｌ２’等が携帯電話端末１１へ送り返される。これにより、その後の携帯電話端末１１は、それらの情報を用いて図４及び図５で説明したようなナビゲーション処理を行うことになる。なお、当該経路の再検索時において、携帯電話端末１１内に既に保持されている経路情報や路線情報、地図情報を利用可能である場合には、上述のような新たな経路情報や路線情報、地図情報を再取得しないようにすることも可能である。
【００７３】
〔まとめ〕
以上説明したように、本実施形態によれば、各交通機関の駅及び駅ホームの各乗降場と各列車及び車両にはＲＦタグ１２，１３が取り付けられており、それらＲＦタグ１２，１３からは、上記交通機関の各駅及び各駅ホームの各乗降場と各列車及び各車両をそれぞれ個々に識別可能にするための駅・ホーム固有番号及び乗降場固有番号と列車固有番号及び車両固有番号が、近距離無線通信により送信されるシステムが構築されている。
【００７４】
そして、出発地から目的地までの間に例えば列車等の交通機関を利用するようなナビゲーションが行われる場合、携帯電話端末１１は、当該交通機関の利用路線の駅・ホーム固有番号及び乗降場固有番号と列車固有番号及び車両固有番号等を経路検索サーバ１０から予め取得して保持し、実際に当該路線を利用する際には、当該交通機関のＲＦタグ１２，１３から上記駅・ホーム固有番号及び乗降場固有番号と列車固有番号及び車両固有番号等を逐次取得し、そのＲＦタグ１２，１３から取得した駅・ホーム固有番号及び乗降場固有番号と列車固有番号及び車両固有番号と、上記経路検索サーバ１０から取得済みの駅・ホーム固有番号及び乗降場固有番号と列車固有番号及び車両固有番号とを比較して、正しい駅・ホーム及び乗降場と列車及び車両であるかを判断する。
【００７５】
これにより、本実施形態の携帯電話端末１１は、ユーザが正しく乗降車できるようなナビゲーションを実現可能であり、さらには、降車時に便利な位置で降車できるように、乗車時の車両や乗車位置のナビゲーションをも実現可能となっている。したがって、ユーザは、例えば駅ホーム等で列車情報の確認や交通機関関係者に問い合わせるようなことを行わなくても正しく目的地まで辿り着くことが容易となる。
【００７６】
また、本実施形態によれば、例えば交通機関の遅延など予期せぬ事象が発生した場合には、交通機関管理サーバ１４にて運行スケジュールの調整等が行われると共にその運行スケジュールの調整に対応して駅・ホーム固有番号及び乗降場固有番号，列車固有番号及び車両固有番号等の更新も行われ、さらに、経路検索サーバ１０においてもそれら運行スケジュールの調整や各番号の更新等が反映される。このため、上記交通機関の遅延など予期せぬ事象が発生した場合であっても、経路検索サーバ１０は、ユーザの携帯電話端末１１に対しては現時点の交通機関の状況に合わせた適切な経路検索サービスを提供可能となり、したがって、携帯電話端末１１ではユーザを正確にナビゲーションすることが可能となる。
【００７７】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７８】
上述の実施形態では、交通機関の一例として列車を挙げたが、本発明はバス等、その他の交通機関を利用する経路検索とナビゲーションにも適用可能である。
【００７９】
また、本実施形態では、本発明に係る携帯情報端末として携帯電話端末を挙げたが、携帯情報端末はパーソナルコンピュータやＰＤＡ（Personal Digital Assistant）等であってもよい。
【図面の簡単な説明】
【００８０】
【図１】本発明実施形態のナビゲーションシステムの概略構成を示す図である。
【図２】本発明実施形態の携帯電話端末の概略的な内部構成例を示すブロック図である。
【図３】本実施形態の携帯電話端末において行われるナビゲーション処理の概略的なフローチャートである。
【図４】ユーザが列車へ乗車する際に携帯電話端末と列車・車両ＲＦタグで行われる処理のシーケンスを示す図である。
【図５】ユーザが列車から降車する際に携帯電話端末と乗降場ＲＦタグで行われる処理のシーケンス図を示す。
【図６】ユーザが目的降車場を通過してしまった際の携帯電話端末と乗降場ＲＦタグで行われる処理のシーケンス図を示す。
【符号の説明】
【００８１】
１  インターネット、２  携帯電話ネットワーク、３  交通機関ネットワーク、１０  経路検索サーバ、１１  携帯電話端末、１２  列車・車両ＲＦタグ、１３  乗降場ＲＦタグ、１４  交通機関管理サーバ、４０  制御簿、４１  通信回路、４２  通信アンテナ、４３  表示部、４４  操作部、４５  メモリ部、４６  地図データ、路線データ、４８  経路データ、４９  ナビゲーションプログラム、５０  スピーカ、５１  マイクロホン、５２  音声処理部、５３  画像処理部、５４  ＧＰＳ部、５５  近距離無線通信部
【図１】
2008238894.tif 000003
【図２】
2008238894.tif 000004
【図３】
2008238894.tif 000005
【図４】
2008238894.tif 000006
【図５】
2008238894.tif 000007
【図６】
2008238894.tif 000008